【事件の表示】
　特願２０１６−５６９７２８「試料調製又は試料解析の少なくとも一方を行うため回転バルブを備えるシステム及び方法」拒絶査定不服審判事件〔平成２７年１２月１０日国際公開、ＷＯ２０１５／１８７８６８、平成２９年　８月１０日国内公表、特表２０１７−５２２５４６、請求項の数（１５）〕について、次のとおり審決する。
【結　論】
　原査定を取り消す。
　本願の発明は、特許すべきものとする。
【理　由】
                                      
第１　手続の経緯
　本願は、２０１５年（平成２７年）６月３日（パリ条約による優先権主張外国庁受理　２０１４年６月５日　米国）を国際出願日とする出願であって、平成３０年５月１５日に手続補正書が提出され、平成３１年２月４日付けで拒絶理由が通知され、令和元年５月１０日に意見書及び手続補正書が提出され、同年１０月１７日付けで拒絶理由（最後）が通知され、令和２年１月２４日に意見書及び手続補正書が提出され、同年６月１０日付けで拒絶査定されたところ、同年１０月８日に拒絶査定不服審判の請求がなされ、同時に手続補正がされたものである。
第２　原査定の概要
　原査定（令和２年６月１０日付け拒絶査定）の概要は次のとおりである。
・理由１（特許法第３６条第６項第２号）について
　請求項８には「前記フィード通口（２１６）」と記載されているが、「前記フィード通口（２２６）」の誤記である。
　よって、請求項８に係る発明は明確でない。
・理由２（特許法第２９条第２項）について
　本願の請求項１ないし１５に係る発明は、以下の引用文献１及び引用文献２〜８に記載の周知技術に基づいて、当業者が容易に発明できたものであるから、特許法第２９条第２項の規定により特許を受けることができない。
１.国際公開第２０１４／００８３８１号
２.特開２００４−３３３２５５号公報（周知技術を示す文献）
３.特表平１１−５００６０２号公報（周知技術を示す文献）
４.特開２００９−９７９０２号公報（周知技術を示す文献）
５.特開２００６−７８２７６号公報（周知技術を示す文献）
６.米国特許出願公開第２０１３／０２６０３７２号明細書（周知技術を示す文献）
７.特開２００９−２８９９号公報（周知技術を示す文献）
８.国際公開第２０１３／１１６２８５号（周知技術を示す文献）
第３　本願発明
　本願の請求項１ないし１５に係る発明（以下、それぞれ「本願発明１」ないし「本願発明１５」という。）は、令和２年１０月８日提出の手続補正書により補正された特許請求の範囲の請求項１ないし１５に記載された事項により特定される発明であり、本願発明１及び８は以下のとおりである。
（本願発明１）
「　　【請求項１】
　試料チャンネル（１３１）、反応チャンバ（１２６）、及びリザーバ（１５１，１５２）を有する流体ネットワーク（１０６）であって、前記試料チャンネルは、生物試料を受け入れるよう構成した試料通口（１１６）に流体連通するものとし、前記反応チャンバは、光路からの照射光を受ける少なくとも１つの光学的に透明な面及び反応窪みのアレイを有する、該流体ネットワーク（１０６）と、
　前記流体ネットワークに流体連通するよう構成したポンプアセンブリと、
　フローチャンネル（１４０）を有し、また第１バルブ位置と第２バルブ位置との間で回転するよう構成した回転バルブ（１２３）であって、前記フローチャンネルは、前記回転バルブが前記第１バルブ位置にあるとき前記反応チャンバ及び前記試料チャンネルを流体的に接続し、また前記回転バルブが前記第２バルブ位置にあるとき前記リザーバ及び前記反応チャンバを流体的に接続し、前記ポンプアセンブリは、前記回転バルブが前記第１バルブ位置にあるとき前記生物試料を前記反応チャンバに向かわせるフローを誘導することができ、また前記回転バルブが前記第２バルブ位置にあるとき反応成分を前記リザーバから前記反応チャンバに向かわせるフローを誘導することができる、前記回転バルブ（１２３）と、
　前記反応チャンバ内の前記反応窪みのアレイから、１つ以上の反応によって生み出される光信号を検出する検出アセンブリと、
を備え、
　前記回転バルブは、前記回転バルブが前記第１バルブ位置から前記第２バルブ位置に回転するにつれて、前記フローチャンネル内に前記生物試料を保持することができ、前記ポンプアセンブリは、前記回転バルブが前記第２バルブ位置にあるとき、前記生物試料を前記リザーバ内に流入させるフローを誘導することができる、システム（１００）。」
（本願発明８）
「　　【請求項８】
　請求項１記載のシステムにおいて、前記回転バルブ（１２３，２１６）は軸線（１４２，２９９）周りに回転し、前記流体ネットワーク（１０６）はフィード通口（２２６）を有し、前記フィード通口（
２２６
　なお、本願発明２ないし１５は、本願発明１を減縮した発明である。
第４　引用文献、引用発明等
１　引用文献１について
（１）引用文献１の記載
　原査定の拒絶の理由に引用された上記引用文献１には、図面とともに次の事項が記載されている。（原文に続き日本語訳を示す。下線は当審が付与した。以下同じ。）
（引１ア）
「　The invention relates to a multi-port valve that can be used in an assay cartridge to facilitate fluid isolation in and selective fluidic communication throughout the cartridge fluidic network. An assay cartridge of the invention incorporates one or more fluidic components such as compartments, wells, chambers, fluidic conduits, fluid ports/vents, filters, valves, and the like and/or one or more detection components such as electrodes, electrode contacts, sensors (e.g., electrochemical sensors, fluid sensors, mass sensors, optical sensors, capacitive sensors, impedence sensors, optical waveguides, etc.), detection windows (e.g., windows configured to allow optical measurements on samples in the cartridge, such as absorbance, light scattering, refraction, or reflection, fluorescence, phosphorescence, chemiluminescence, electrochemiluminescence, etc.), and the like. A cartridge can also comprise reagents for carrying out an assay such as binding reagents, detectable labels, sample processing reagents, wash solutions, buffers, etc, and the reagents can be present in liquid form, solid form and/or immobilized on the surface of solid phase supports present in the cartridge. Certain preferred cartridge embodiments also comprise detection chambers having the electrode arrays and/or binding domains. The incorporation of the disclosed multi-port valve into an assay cartridge reduces the volume over which vacuum pressure builds in the fluidic network and potential contamination.
　Fig. 1 depicts a simplified schematic of 
a cartridge-based biochemical detection system (100)
　In one specific embodiment, 
the cartridge has sample chambers (102), one or more detection chambers (103)
detection chambers adapted for use in electrochemiluminescence measurements
waste chambers (104)
 The sample chamber is connected by a fluid conduit (A) directed through a multi-port valve (101) so that a sample introduced into a sample chamber can be delivered through a conduit (F) in the fluidic network into one or more detection chambers for analysis and then passed into one or more waste chambers for disposal
this cartridge also includes
more reagent chambers (105) for storing liquid reagents, the reagent chambers are connected via conduits (B-E) through the multi-port valve to the other components so as to allow the introduction of the liquid reagents into
detection chambers
　In a preferred embodiment of the invention, an assay cartridge has minimal or no active mechanical or electronic components. When carrying out an assay, 
such an assay cartridge may be introduced into a cartridge reader which provides these functions
a reader
The reader may have
 more light detectors for measuring luminescence generated at assay electrodes
The reader may also have pumps, valves, heaters, sensors, etc. for providing fluids to the cartridge, verifying the presence of fluids and/or maintaining the fluids at an appropriate controlled temperature
　An assay cartridge of the invention can be configured to conduct a multiplexed immunoassay and/or nucleic acid measurement on a biological fluid sample. With respect to assay cartridges configured to conduct multiplexed nucleic acid and immunoassay methods, reference is made to copending application serial nos. 13/343,834, filed January 5, 2012, and 12/959,952, filed December 3, 2010, respectively, the disclosures of which are incorporated herein by reference in their entireties.
　In a preferred embodiment, the assay cartridge includes a plurality of chambers and a fluidic network including a plurality of fluidic conduits connecting the plurality of chambers and a multi-port valve configured for fluid isolation and selective communication between fluidic conduits in the network. In certain embodiments, it is desirable to reduce or eliminate fluid contamination within the fluidic network of an assay cartridge, e.g., in those embodiments where contaminants can inhibit processes that occur downstream in the cartridge. For example, in an assay cartridge configured to analyze nucleic acid in a sample by a polymerase chain reaction (PCR), it is beneficial to avoid contamination of eluate after nucleic acid purification because contaminants can inhibit downstream processes like reverse transcription (RT) and PCR amplification. Such contaminants include but are not limited to lysis buffers like guanidine isothiocyanate (GuSCN), wash buffers, such as ethanol, hemoglobin from a blood sample, or humic acid from a soil sample. The placement of filters in the fluidic network to prevent contaminants from interfering with downstream processes can reduce contamination, but elevated pressures can develop in the fluidic network. In addition, vacuums can be generated downstream of the filters before liquid breaks through, with the trapped vacuum resulting in potential contamination of downstream processes.
　This issue is addressed by 
the incorporation of a multi-port valve in the fluidic network of the cartridge
A multi-port valve
minimizes carryover and contamination from processes conducted upstream of the valve in the fluidic network
The dead volume is reduced in the valve by minimizing the distance and internal volume between the inlet and the outlets
「　この発明は、分析評価カートリッジにおいて使用でき、カートリッジ流体ネットワークにおいて流体隔離を容易に行い、選択的な連通を行える、マルチポートバルブに関する。この発明の分析評価カートリッジは、コンパートメント、井戸（ウェル）、室部（チャンバー）、流体管、流体ポート／ベント、フィルタ、バルブ、その他のような１または複数の流体部品、および／または、電極、電極接点、センサ（例えば、電気化学センサ、流体センサ、質量センサ、光学センサ、容量センサ、インピーダンスセンサ、光学導波管等）、検出窓（例えば、吸収、光散乱、屈折、または反射、蛍光、燐光、化学発光、電気化学発光、その他のようなカートリッジにおいて試料について光学的な測定を可能にするように構成された窓）、その他のような検出部品を組み込んでいる。カートリッジは、また、結合試薬、検出標識（ラベル）、試料処理試薬、洗浄溶液、緩衝剤（バッファ）等のような、分析評価を実行するための試薬を含んで良く、試薬は、液体形態、固体形態、および／または、カートリッジ内に存在する固相サポートの表面の固形化された状態で存在して良い。所定の好ましいカートリッジの実施例は、また、電極アレイおよび／または結合ドメインを具備する検出室部を有する。開示されたマルチポートバルブを分析評価カートリッジに組み込むと、流体ネットワーク中に形成される真空の体積、および潜在的な汚染を減少することができる。
　図１は、
カートリッジをベースにした生物化学検出システム（１００）
　１つの具体的な実施例において、
カートリッジは、試料室部（１０２）、
検出室部（１０３）（
電気化学蛍光測定に使用するように適合化された検出室部）、および
廃棄物室部（１０４）を具備する
試料室部は流体管（Ａ）に接続され、この流体管（Ａ）はマルチポートバルブ（１０１）を通じて案内され、もって、試料室部から導入された試料が流体ネットワークにおいて管（Ｆ）を通じて
検出室部へ分析のために搬送でき、つぎに
廃棄物室部へ渡されて廃棄できるようになっている
カートリッジは、
液体試薬を貯蔵するための
複数の試薬室部（１０５）を含み、試料室部は管（Ｂ〜Ｅ）を通じ、さらに、マルチポートバルブを介して、
液体試薬が
検出室部へ導入できるようになっている
　この発明の好ましい実施例において、分析評価カートリッジは動的な機構または電子部品を最小限しか、またはまったく具備していない。
そのような分析評価カートリッジは、分析評価を行うときに、これらの機能を実現するカートリッジ読取機へと導入されて良い
読取機は、
読取機は、分析評価電極において生じた蛍光を測定するための
光検出器を具備して良い
読取機は、
ポンプ、バルブ、ヒータ、センサ等を具備して、カートリッジに流体を供給し、流体の存在を検証し、および
、流体を適切に制御された温度に維持できるようにしている
　この発明の分析評価カートリッジは多重化された免疫学的分析評価、および／または核酸測定を生物学的流体試料について行うように構成されて良い。多重化された核酸または免疫学的分析評価の方法を行いように構成された分析評価カートリッジに関しては、本出願人の出願に係る、２０１２年１月５日提出の出願番号第１３／３４３，８３４号、および２０１０年１２月３日提出の出願番号第１２／９５９，９５２号を参照され、これらの内容は参照して個々に組み入れる。
　好ましい実施例において、分析評価カートリッジは、複数の室部と、流体ネットワークとを含み、流体ネットワークは、これら複数の室部を結合する複数の流体管と、このネットワーク中で流体を隔離し、また、流体管の間の選択的な連通を行うように構成されたマルチポートバルブとを含む。所定の実施例において、分析評価カートリッジの流体ネットワークの内部において流体汚染を減少または除去することが好ましく、例えば、汚染が、カートリッジ内の下流で起こるプロセスを阻害するような実施例でそうである。例えば、ポリメラーゼ連鎖反応によって核酸を分析するように構成された分析評価カートリッジにおいて、核酸精製の後に溶出液の汚染を回避することは、汚染が、逆転写（ＲＴ）およびＰＣＲ増幅のような下流でのプロセスを抑制することがあるので、有益である。そのような汚染は、これに限定されないが、グアニジンイソチオシアネート（ＧｕＳＣＮ）のような溶解緩衝剤、エタノールのような洗浄緩衝剤、血液試料からのホモグロビン、または土壌試料からのフミン酸を含む。汚染が下流プロセスと緩衝しないようにするために流体ネットワーク中にフィルタを配置すると、汚染を減少できるけれども、流体ネットワーク中の圧力が上昇することがある。さらに、液体が通り抜ける前に、フィルタの下流で真空が形成されることがあり、この捕捉された真空が下流のプロセスで潜在に汚染を生じさせる。
　この課題は、図２（ａ）〜（ｂ）に示すように、
カートリッジの流体ネットワーク中にマルチポートバルブを組み込む
マルチポートバルブは、
流体ネットワーク中のバルブの上流で実行されるプロセスからのキャリーオーバーおよび汚染を最小限にする
入口および出口の間の距離および内部体積を減少させることによりバルブ内でデッドスペースを減少させる
（引１イ）
「　As shown in Fig. 2(a), the multi-port valve can be incorporated into a fluidic network to interface with 
a plurality of conduits (A-E)
direct fluid from one conduit of the plurality into a common channel or conduit (F)
「　図２（ａ）に示すように、マルチポートバルブは流体ネットワーク中に組み込むことができ、これによって、
複数の管（Ａ〜Ｅ）
流体を複数の管の中の１つの管から共通の
管（Ｆ）へと案内できる
（引１ウ）
「 A more detailed view of the multi-port valve is shown in Fig. 3(a). 
The multi- port valve includes
a stator (302), and a rotor (303)
the internal volume of the fluidic connector between the valve inlet and outlets is less than 10 uL
the fluidic connector (309)
「　マルチポートバルブのより詳細な図が図３（ａ）に示される。
マルチポートバルブは、
ステータ（３０２）、およびロータ（３０３）を含む
バルブ入口と出口との間の流体コネクタの内部容積は、１０μＬ未満
である
流体コネクタ（３０９）
（引１エ）Ｆｉｇ．１
（引１オ）Ｆｉｇ．２（ａ）
（引１カ）Ｆｉｇ．３（ａ）
（引１キ）Ｆｉｇ．３（ｂ）、（ｃ）
（２）引用文献１に記載された発明
　上記（１）の記載事項及び図面から、引用文献１には、次の発明（以下「引用発明」という。）が記載されていると認められる。
「　流体ネットワーク中にマルチポートバルブを組み込んだカートリッジをベースにした生物化学検出システム（１００）であって、
　カートリッジは、試料室部（１０２）、電気化学蛍光測定に使用するように適合化された検出室部（１０３）、および廃棄物室部（１０４）を具備し、
　試料室部は流体管（Ａ）に接続され、この流体管（Ａ）はマルチポートバルブ（１０１）を通じて案内され、もって、試料室部から導入された試料が流体ネットワークにおいて管（Ｆ）を通じて検出室部へ分析のために搬送でき、つぎに廃棄物室部へ渡されて廃棄できるようになっており、
　カートリッジは、液体試薬を貯蔵するための複数の試薬室部（１０５）を含み、試薬室部は管（Ｂ〜Ｅ）を通じ、さらに、マルチポートバルブを介して、液体試薬が検出室部へ導入できるようになっており、
　このようなカートリッジは、分析評価を行うときに、これらの機能を実現するカートリッジ読取機へと導入され、
　カートリッジ読取機は、分析評価電極において生じた蛍光を測定するための光検出器を具備し、またポンプ、バルブ、ヒータ、センサ等を具備して、カートリッジに流体を供給し、流体の存在を検証し、および、流体を適切に制御された温度に維持できるようにしており、
　マルチポートバルブは、流体ネットワーク中のバルブの上流で実行されるプロセスからのキャリーオーバーおよび汚染を最小限にし、バルブ入口および出口の間の距離および内部体積を減少させることによりバルブ内でデッドスペースを減少させ、流体を複数の管（Ａ〜Ｅ）の中の１つの管から共通の管（Ｆ）へと案内でき、ステータ（３０２）、およびロータ（３０３）を含み、バルブ入口と出口との間の流体コネクタ（３０９）の内部容積は１０μＬ未満である、生物化学検出システム（１００）。」
２　引用文献２について
　原査定の拒絶の理由に引用された上記引用文献２には、図面とともに次の事項が記載されている。
（引２ア）
「【００３４】
プローブ固相化反応アレイ１は、透明なガラス製の基板３４とシリコン基板３５を用いて製造されたプローブ固相化反応アレイ
【００３５】
プローブ固相化反応アレイ１の基板の内部には複数のキャピラリ２、３、４、５、６、７、８および９が、同一平面上に並列して平行に形成されている。それぞれのキャピラリは互いに独立して形成されるので、他のキャピラリに含まれる流体と互いに混じり合うことはない。また、それぞれのキャピラリの両端には、開口部が形成されている。具体的には、キャピラリ２、３、４、５、６、７、８および９には、それぞれ試料注入口１８、１９、２０、２１、２２、２３、２４および２５と、試料排出口２６、２７、２８、２９、３０、３１、３２および３３が形成されている。キャピラリ２、３、４、５、６、７、８および９の内部には、それぞれの解析項目に応じて適切なプローブ群１０〜プローブ群１７が固定されている。
・・・
【００５２】
本実施の形態では、プローブ固相化反応アレイ１に含まれる反応部の形状をキャピラリとしたが、この形状に限定されるものではない。たとえば、反応部の形状は、底面が角型、円または楕円であるようなウェル形状であってもよい。
【００５３】
また、本発明のプローブ固相化反応アレイは、上記キャピラリ形状およびウェル形状の他に、物理的に互いに隔離された反応部が形成されたデバイス構造の種々の構造であってもよい。上記例では、プローブ固相化反応アレイ１に含まれる反応部を８つとし、反応部のそれぞれに試料注入口および／または試料排出口として使用できる１以上の開口部を形成したが、この数に限定されるものではなく、複数の反応部を具備すればよい。すなわち、互いに独立した反応部を有していればよく、たとえば、凹部または凸部により仕切られた領域に開口部を有する蓋または底部を配置し、有効容積のある反応部を形成すればよい。
【００５４】
また、
基板内部に反応部を形成した閉鎖系の反応アレイのみでなく、単に凹部または凸部により仕切られた容器に対しても、または平面からなる特に仕切のない領域であっても、互いに独立し、かつ任意の方向に並列して複数の反応部を支持体に備え、充分に離間しているかあるいは多数の垂直孔によって液の拡散が妨げられていれば本発明の態様に使用することが可能である
（引２イ）図１
３　引用文献３について
　原査定の拒絶の理由に引用された上記引用文献３には、図面とともに次の事項が記載されている。
（引３ア）
「　本発明を、先ず、図１Ａを参照に説明する。図１Ａは、
ＤＮＡスクリーニング診断を行うために構成した
システム
図１Ａのシステムは、モデムやプリンター１２等の周辺装置にライン１１を介して、電気的に接続されたコンピューター１０を含み、このコンピューターは、マイクロラボラトリーディスク１４へ命令を与えたり、そこから得られたテスト結果を記録するようにプログラムが組まれている。コンピューター１０は、ライン１５を介して、ステーション１６へ電気的に接続されている。
ステーション１６には、マイクロラボラトリーディスク支持体１８、試料と試薬をマイクロラボラトリーディスク１４にローディングするための支持体チューブ２０、流体をディスク１４上の特定の仕向地に移送するためのポンプ２２、一つ以上の光源２４、光ファイバー２５、一つ以上の光検出器２６を含む
　全血やその他のＤＮＡ含有流体など、試験対象の少量の流体試料を、ローディングシステム３０によってシステム内へ入れる。システム３０は、マイクロラボラトリーディスク１４の表面内にエッチングされたローディング用キャピラリーチャネル３４に接続してサンプルを収容する一本以上のキャピラリを内臓してもよい。ローディング用キャピラリ３２は、ローディング用キャピラリチャネル３４内へ水平に挿入する。試料は、ローディング用キャピラリチャネル３４に送られてから、ディスク上の第一のウェル３６に移送される。代替として、供給チャネル３４へ垂直に挿入するローディングチャネル５０も試料の供給に使用できる。図１Ｂと図２に、本発明の
マイクロラボラトリーディスク１４上で、チャネル３８によって接続された複数のウェル３６、４０、４２を備えた
モジュール
　
試料は、第１ウェル３６を含む一連のウェルの中で順次、処理される
　
ローディングチャネル３４または５０と、ウェル３６、４０、４２、４６、そして接続チャネル３８を組み合わせて、試験マイクロラボラトリーディスク１４上に、１個のモジュール４８を形成する
・・・
　マイクロラボラトリーアレイの各モジュールは、一本のチャネルで接続された一つ以上のウェルで構成され、順次、ローディング用キャピラリに接続されている。
マイクロラボラトリーディスク１４は、例えば、ガラス、融解石英、石英、またはシリコンウエーハからできていて、厚さは約１ｍｍが適当で、半導体技術や、ＨＦなどの適当なエッチャントを使って、精密にかつ自在にエッチングできる
高融点ホウケイ酸ガラスや融解石英などの高品質ガラスは、それらの持つＵＶ伝送特性に関して光技術を利用しウェルやチャネルの内で処理や測定を行う場合に好ましい
（引３イ）図１Ａ
（引３ウ）図１Ｂ
４　引用文献４について
　原査定の拒絶の理由に引用された上記引用文献４には、図面とともに次の事項が記載されている。
（引４ア）
「【００１１】
　図１は、本発明に係る反応制御装置の第１実施形態の簡略側面図である。図２は、同実施形態の一状態を説明するための簡略側面図である。図１中の符号１は、本発明に係る反応制御装置を示している。この反応制御装置１のサイズや層構造は、目的に応じて適宜選定可能であり、反応制御装置１の形態構成についても本発明の目的に沿う範囲で設計又は変更可能である。なお、以下に使用する図面では、説明の便宜上、装置の構成等については簡素化して示している。
【００１２】
　前記反応制御装置１は、基板１０と、光源１１と集光レンズ１２，１３と光検出部１４とを備えている。基板１０の反応領域Ａで所定反応を行なう。反応制御装置１は、基板１０の反応領域Ａに対して、加熱用の光源１１から光照射することで、反応領域Ａ内の試料を加熱できる。そして、この光を光検出部１４で検出し、その検出結果に基づいて光源１１の光照射を制御する。このように、加熱照射する光を検出する光検出部１４を設け、この検出結果に基づいて加熱照射の照射制御を行なうことができる。
【００１３】
　基板１０は、基板本体１０１と被覆層１０２とから形成されており、基板本体１０１と被覆層１０２とを積層することで反応領域Ａを形成している。基板本体１０１は反応領域Ａに即した形状であり、これに被覆層１０２を積層させることで、反応領域Ａに相当する空間を形成している。
【００１４】
　
基板本体１０１の材料は限定されず、例えば、種々の合成樹脂、ガラス等を用いることができ、例えば、ポリメタクリル酸メチル（ＰＭＭＡ）、ポリジメチルシロキサン（ＰＤＭＳ）、ポリエチレンテレフタレート（ＰＥＴ）、ポリカーボネート、ホウ珪酸ガラス、石英ガラス等を用いることができる
そのなかでも、好適には、光透過性を備えた材料であることが望ましく、具体的には、ポリメタクリル酸メチルや低蛍光発光プラスチック材料やホウ珪酸ガラスや石英ガラス等を用いることが望ましい
（引４イ）
「【００７１】
　図８は、本発明に係る反応制御装置の第６実施形態の簡略側面図である。図８中の符号６は、本発明に係る反応制御装置を示している。該
反応制御装置６は、複数の反応領域Ａを備えた基板６０と、複数の加熱用の光源６１と、集光レンズ６２，６３と、光検出部６４とを備えている
【００７２】
　基板６０は、複数の反応領域Ａが、基板本体６０１と被覆層６０２によって形成されている。反応領域Ａの大きさや形状等は限定されず、異なる大きさや形状であってもよいし、反応領域Ａ同士の配置間隔についても適宜好適な間隔とすることができる。このように、複数の反応領域Ａを設けることで、基板上で網羅的な解析を行なうことができる。」
（引４ウ）図８
５　引用文献５について
　原査定の拒絶の理由に引用された上記引用文献５には、図面とともに次の事項が記載されている。
（引５ア）
「【０００４】
　上記したμＴＡＳにおいて、一定量の液体試料を流路中から取り出して、次の工程に搬送する操作は、非常に有用である。例えば、ＨＰＬＣ（Ｈｉｇｈ Ｐｅｒｆｏｒｍａｎｃｅ Ｌｉｑｕｉｄ Ｃｈｒｏｍａｔｏｇｒａｐｈｙ）のカラム部分（分析部分）に、一定量の液体試料を注入するインジェクタ?が、特許文献１に開示されている。図８は、
サンプリングバルブ８０１を用いて一定量の液体試料をＨＰＬＣカラム８０３に注入する方法
はじめ、サンプリングバルブを図８（ａ）のように配置する。液体試料は試料ループ流路８０４を満たしていて、緩衝液は分析用流路８０５を満たしている
次に図８（ｂ）のように、サンプリングバルブ８０１を回転し、サンプリングバルブ内８０１内の液体試料８０６を、分析用流路８０５に挿入する
次に図８（ｃ）のように、圧力発生源８０２を駆動することにより、サンプリングバルブ内にあった液体試料８０６を切り出して、ＨＰＬＣカラム８０３に搬送する
（引５イ）図８
６　引用文献６について
　原査定の拒絶の理由に引用された上記引用文献６には、図面とともに次の事項が記載されている。
（引６ア）
「[0117] In particular embodiments a fluidic cartridge can be configured to allow re-use of one or more reagents. For example, the fluidic cartridge can be configured to deliver a reagent to a flow cell, then remove the reagent from the flow cell, and then re-introduce the reagent to the flow cell. In one configuration, as exemplified in FIG. 18, 
cartridge fluidics can be configured such that a reagent reservoir is in fluid communication with the input port of a flow cell and the output port of the flow cell is also in fluid communication with the reagent reservoir
valve 522 controls flow from wash reservoir 524, IMX reservoir 525, SMX reservoir 526, CLM reservoir 527 and cleave reservoir 528 to flow cell 520. Pump 521 is downstream of flow cell 520 and upstream of valve 523. Valve 523 controls flow from flow cell 520 to waste reservoir 535, IMX reservoir 525, SMX reservoir 526, CLM reservoir 527 and cleave reservoir 528
[0118] The fluidic lines connecting the above components of FIG. 18 will be described here in the context of 
a sequencing cycle
「［０１１７］　特別な実施形態において、流体カートリッジは、１つ又は複数の試薬を再利用するよう構成することができる。例えば、流体カートリッジは、試薬をフローセルに配給し、次に試薬をフローセルから除去し、また次に試薬をフローセルに再導入するよう構成することができる。図１８に例示する一実施形態において、
カートリッジの流体素子は、試薬リザーバがフローセルの流入ポートと流体連通し、またフローセルの流出ポートも試薬リザーバに流体連通するよう構成する
バルブ５２２は、洗浄液リザーバ５２４、ＩＭＸリザーバ５２５、ＳＭＸリザーバ５２６、ＣＬＭリザーバ５２７、及びクリーブリザーバ５２８からフローセル５２０への流れを制御する
ポンプ５２１はフローセル５２０の下流かつバルブ５２３の上流に配置する
バルブ５２３は、フローセル５２０から、洗浄液リザーバ５２４、ＩＭＸリザーバ５２５、ＳＭＸリザーバ５２６、ＣＬＭリザーバ５２７、及びクリーブリザーバ５２８への流れを制御する
［０１１８］　図１８の上述のコンポーネントを接続する流体ラインは、
シークエンシングサイクル
（引６イ）Ｆｉｇ．１８
７　引用文献７について
　原査定の拒絶の理由に引用された上記引用文献７には、図面とともに次の事項が記載されている。
（引７ア）
「【００７４】
［核酸検出方法］
　以下に、
検出装置１０を用いた核酸検出方法
【００７５】
　つづいて、ＰＣＲ槽５１の蓋７４を取り外して大椀７２及び小椀７３（図４参照）を開放し、サンプル、サンプルの前処理試薬及びＰＣＲ試薬を順次注入する（Ｓ２）。サンプルは、例えばヒト血液であるが、検出対象の核酸が含まれる液体であれば、血液に限定されず、前処理した核酸或いは細胞、細胞を含む液などであってもよく、その他の例として、口拭い液、尿、唾液、その他の分泌液などがあげられる。また、サンプルは、必要に応じてｐＨ調整液などに溶解される。
【００７６】
　サンプルの前処理試薬は、血液などに含まれるＰＣＲ阻害物質を失活させる試薬であり、市販品（例えば、島津製作所製、商品名：Ampdirect Plus）を使用すればよい。また、ＰＣＲ試薬は、検出対象の核酸と二本鎖を形成する増幅プライマー及び核酸ポリメラーゼを含むものであれば公知の試薬が使用できる。また、サンプルの前処理試薬及びＰＣＲ試薬を１つの溶液として調製してもよい。
【００７７】
　サンプルの前処理試薬は、泡立てることやサンプルと混合撹拌することが好ましくない。したがって、サンプル又は前処理試薬は、既にＰＣＲ槽５１に注入した溶液に重層するように静かに注入する。例えば、サンプルを小椀７３に注入した後、前処理試薬をサンプルに重層するようにして大椀７４に静かに注入する。ＰＣＲ槽５１に、サンプル、サンプルの前処理試薬及びＰＣＲ試薬を順次注入した後、ＰＣＲ槽５１を蓋７４により封止する。
【００７８】
　なお、装置本体１１へのカセット１２の装着（Ｓ１）と、ＰＣＲ槽５１へのサンプル、サンプルの前処理試薬及びＰＣＲ試薬の注入（Ｓ２）とは、順序を逆にしてもよいが、カセット１２を移動させると、ＰＣＲ槽５１内において液面が波立ったりサンプルが混合されたりするおそれがあるので、装置本体１１へのカセット１２の装着を先に行うことが好ましい。
【００７９】
　つづいて、検出装置１０を動作させて前処理及びＰＣＲを行う（Ｓ３）。装置本体１１の制御部２５には、予め前処理及びＰＣＲのための処理ステップが入力されている。この処理ステップに基づいて、制御部２５がペルチェ素子３１及びカウンターヒータ３２を動作させることにより、ＰＣＲ槽５１において前処理及びＰＣＲが行われる。カウンターヒータ３２は、この処理ステップにおいて、ＰＣＲ槽５１の蓋７４を押圧するように移動される。この処理ステップは、主として温度サイクルと保持時間とによって制御される。まず、前処理として、ＰＣＲ槽５１が、約８０℃に加温されて１５分間保持される。これにより、サンプル中のＰＣＲ阻害物質が失活される。
【００８０】
　その後、ＰＣＲとして、（１）約９２〜９５℃、約０．１秒〜１分間の変性ステップ、（２）約５０〜６５℃、約０．１秒〜１分間のアニールステップ、（３）約７０〜７５℃、約０．１秒〜５分間の鎖伸長ステップの３つのステップが１〜４０回程度繰り返される。変性ステップにおいて、サンプル中の核酸が１本鎖に変性される。アニールステップにおいて、１本鎖の核酸に増幅プライマーが結合され、ＰＣＲの反応開始点となる二本鎖部分が作成される。鎖伸長ステップにおいて、核酸ポリメラーゼが反応して二本鎖部分が伸張されて二本鎖の核酸が作成される。なお、この前処理及びＰＣＲは必ずしも明確に区別されなくてもよい。
【００８１】
　前処理及びＰＣＲを終えると、制御部２５は、第１マイクロアクチュエータ３４及び第２マイクロアクチュエータ３５を動作させると共に、エアーポンプ４０及び切換バルブ４１を動作させる（Ｓ４）。第１マイクロアクチュエータ３４及び第２アクチュエータ３５は、閉姿勢から開姿勢にそれぞれ姿勢変化される。これに連動して、クリップ７６，７７が姿勢変化されて、第１流路５９及び第２流路６０が開放される。エアーポンプ４０は、エアーを送出し、切換バルブ４１は、そのエアーを第１流路５９へ送出する。このエアーは、内部圧を高めながら第１流路５９からＰＣＲ槽５１内へ流入する。つまり、第１流路５９及びＰＣＲ槽５１内の空気は、エアーにより圧縮される。そして、流入したエアーに押圧されて、ＰＣＲ槽５１内のサンプル、サンプルの前処理試薬及びＰＣＲ試薬（以下、これらを「ＰＣＲ液」と総称する。）が第２流路６０へ流出する。そして、ＰＣＲ液は、第２流路６０を通じてＨＤ槽５２へ流入する。制御部２５は、ＰＣＲ液がＰＣＲ槽５１から流出するに必要な所定の時間が経過した後、第１マイクロアクチュエータ３４及び第２マイクロアクチュエータ３５を動作させて閉姿勢とすると共に、エアーポンプ４０を停止させる。これにより、第１流路５９及び第２流路６０は、再び閉塞される。」
（引７イ）図２
（引７ウ）図３
８　引用文献８について
　原査定の拒絶の理由に引用された上記引用文献８には、図面とともに次の事項が記載されている。
（引８ア）
「
The Rotor
　FIG. 3A 
illustrates the rotor 120 having a surface B facing the first surface Al of the micro fluidic device 110, and the micro fluidic device 110, in this illustrated example, is used to perform basic chromatographic work
「
ローター
　図３Ａは、
マイクロ流体装置１１０の第１表面Ａ１に面する表面Ｂを有するローター１２０を例示しており、この例示された例では、マイクロ流体装置１１０は基本的なクロマトグラフィー作業を行うために使用される
（引８イ）ＦＩＧ．３Ａ
第５　対比・判断
１　本願発明１について
（１）対比
　本願発明１と引用発明とを対比する。
ア　引用発明の「試料室部（１０２）」に「接続され」る「流体管（Ａ）」は、本願発明１の「試料チャンネル（１３１）」に相当する。また、引用発明の「電気化学蛍光測定に使用するように適合化された検出室部（１０３）」及び「液体試薬を貯蔵するための複数の試薬室部（１０５）」は、それぞれ、本願発明１の「反応チャンバ（１２６）」及び「リザーバ（１５１，１５２）」に相当する。
　よって、引用発明の「試料室部（１０２）」に「接続され」る「流体管（Ａ）」、「電気化学蛍光測定に使用するように適合化された検出室部（１０３）」及び「液体試薬を貯蔵するための複数の試薬室部（１０５）」を有する「流体ネットワーク」は、本願発明１の「試料チャンネル（１３１）、反応チャンバ（１２６）、及びリザーバ（１５１，１５２）を有する流体ネットワーク（１０６）」に相当する。
イ　引用発明の「生物化学検出システム」に用いる「試料」は生物試料であるところ、引用発明の「試料室部（１０２）」は本願発明１の「生物試料を受け入れるよう構成した試料通口（１１６）」に相当する。
　よって、引用発明の「流体管（Ａ）」が「試料室部（１０２）」に「接続され」ることは、本願発明１の「前記試料チャンネルは、生物試料を受け入れるよう構成した試料通口（１１６）に流体連通する」ことに相当する。
ウ　上記ア及びイから、引用発明の「試料室部（１０２）」に「接続され」る「流体管（Ａ）」、「電気化学蛍光測定に使用するように適合化された検出室部（１０３）」及び「液体試薬を貯蔵するための複数の試薬室部（１０５）」を有する「流体ネットワーク」であって、「流体管（Ａ）」が「試料室部（１０２）」に「接続され」る「流体ネットワーク」と、本願発明１の「試料チャンネル（１３１）、反応チャンバ（１２６）、及びリザーバ（１５１，１５２）を有する流体ネットワーク（１０６）であって、前記試料チャンネルは、生物試料を受け入れるよう構成した試料通口（１１６）に流体連通するものとし、前記反応チャンバは、光路からの照射光を受ける少なくとも１つの光学的に透明な面及び反応窪みのアレイを有する、該流体ネットワーク（１０６）」とは、「試料チャンネル（１３１）、反応チャンバ（１２６）、及びリザーバ（１５１，１５２）を有する流体ネットワーク（１０６）であって、前記試料チャンネルは、生物試料を受け入れるよう構成した試料通口（１１６）に流体連通する、該流体ネットワーク（１０６）」の点で共通する。
エ　引用発明の「カートリッジに流体を供給」する「ポンプ」は、本願発明１の「前記流体ネットワークに流体連通するよう構成したポンプアセンブリ」に相当する。
オ　引用発明の「バルブ入口と出口との間の流体コネクタ（３０９）」は、本願発明１の「フローチャンネル（１４０）」に相当する。また、引用発明の「流体を複数の管（Ａ〜Ｅ）の中の１つの管から共通の管（Ｆ）へと案内でき」、「ステータ（３０２）、およびロータ（３０３）を含」む「マルチポートバルブ」は、本願発明１の「第１バルブ位置と第２バルブ位置との間で回転するよう構成した回転バルブ（１２３）」に相当する。
カ　引用発明の「流体コネクタ（３０９）」が、「流体を複数の管（Ａ〜Ｅ）の中の１つの管」（Ａ）「から共通の管（Ｆ）へと案内」するときは、「ポンプ」によって「試料」が「検出室部」へ「搬送」されるから、本願発明１の「前記フローチャンネルは、前記回転バルブが前記第１バルブ位置にあるとき前記反応チャンバ及び前記試料チャンネルを流体的に接続」することに相当する。
キ　引用発明の「流体コネクタ（３０９）」が、「流体を複数の管（Ａ〜Ｅ）の中の１つの管」（Ｂ〜Ｅ）のいずれか「から共通の管（Ｆ）へと案内」するときは、「ポンプ」によって「液体試薬が検出室部へ導入」されることから、本願発明１の「前記回転バルブが前記第２バルブ位置にあるとき前記リザーバ及び前記反応チャンバを流体的に接続」することに相当する。
ク　引用発明の「液体試薬」は、本願発明１の「反応成分」に相当するところ、上記カ及びキを踏まえると、引用発明の「ポンプ」は、本願発明１の「前記ポンプアセンブリは、前記回転バルブが前記第１バルブ位置にあるとき前記生物試料を前記反応チャンバに向かわせるフローを誘導することができ、また前記回転バルブが前記第２バルブ位置にあるとき反応成分を前記リザーバから前記反応チャンバに向かわせるフローを誘導することができる」ものに相当するといえる。
ケ　上記オ〜クから、引用発明の「バルブ入口と出口との間の流体コネクタ（３０９）」を有し、「流体を複数の管（Ａ〜Ｅ）の中の１つの管から共通の管（Ｆ）へと案内でき」、「ステータ（３０２）、およびロータ（３０３）を含」む「マルチポートバルブ」であって、「流体コネクタ（３０９）」が、「流体を複数の管（Ａ〜Ｅ）の中の１つの管」（Ａ）「から共通の管（Ｆ）へと案内」するときは、「ポンプ」によって「試料」が「検出室部」へ「搬送」され、また「流体コネクタ（３０９）」が、「流体を複数の管（Ａ〜Ｅ）の中の１つの管」（Ｂ〜Ｅ）のいずれか「から共通の管（Ｆ）へと案内」するときは、「ポンプ」によって「液体試薬が検出室部へ導入」される、「マルチポートバルブ」は、本願発明１の「フローチャンネル（１４０）を有し、また第１バルブ位置と第２バルブ位置との間で回転するよう構成した回転バルブ（１２３）であって、前記フローチャンネルは、前記回転バルブが前記第１バルブ位置にあるとき前記反応チャンバ及び前記試料チャンネルを流体的に接続し、また前記回転バルブが前記第２バルブ位置にあるとき前記リザーバ及び前記反応チャンバを流体的に接続し、前記ポンプアセンブリは、前記回転バルブが前記第１バルブ位置にあるとき前記生物試料を前記反応チャンバに向かわせるフローを誘導することができ、また前記回転バルブが前記第２バルブ位置にあるとき反応成分を前記リザーバから前記反応チャンバに向かわせるフローを誘導することができる、前記回転バルブ（１２３）」に相当する。
コ　引用発明の「電気化学蛍光測定に使用するように適合化された検出室部（１０３）」で「分析評価電極において生じた蛍光を測定するための光検出器」と、本願発明１の「前記反応チャンバ内の前記反応窪みのアレイから、１つ以上の反応によって生み出される光信号を検出する検出アセンブリ」とは、「前記反応チャンバ内から、１つ以上の反応によって生み出される光信号を検出する検出アセンブリ」という点で共通する。
サ　引用発明の「マルチポートバルブ」は、「マルチポートバルブ」が「流体を複数の管（Ａ〜Ｅ）の中の１つの管」（Ａ）から（Ｂ〜Ｅ）のいずれかへ変更される際、「流体コネクタ（３０９）」に「試料」を保持することは、本願発明１の「前記回転バルブは、前記回転バルブが前記第１バルブ位置から前記第２バルブ位置に回転するにつれて、前記フローチャンネル内に前記生物試料を保持することができ」ることに相当する。
シ　引用発明の「生物化学検出システム（１００）」は、本願発明１の「システム」に相当する。
　すると、本願発明１と引用発明とは、次の点で一致し、次の各点で相違する。
（一致点）
「試料チャンネル（１３１）、反応チャンバ（１２６）、及びリザーバ（１５１，１５２）を有する流体ネットワーク（１０６）であって、前記試料チャンネルは、生物試料を受け入れるよう構成した試料通口（１１６）に流体連通する、該流体ネットワーク（１０６）と、
　前記流体ネットワークに流体連通するよう構成したポンプアセンブリと、
　フローチャンネル（１４０）を有し、また第１バルブ位置と第２バルブ位置との間で回転するよう構成した回転バルブ（１２３）であって、前記フローチャンネルは、前記回転バルブが前記第１バルブ位置にあるとき前記反応チャンバ及び前記試料チャンネルを流体的に接続し、また前記回転バルブが前記第２バルブ位置にあるとき前記リザーバ及び前記反応チャンバを流体的に接続し、前記ポンプアセンブリは、前記回転バルブが前記第１バルブ位置にあるとき前記生物試料を前記反応チャンバに向かわせるフローを誘導することができ、また前記回転バルブが前記第２バルブ位置にあるとき反応成分を前記リザーバから前記反応チャンバに向かわせるフローを誘導することができる、前記回転バルブ（１２３）と、
　前記反応チャンバ内から、１つ以上の反応によって生み出される光信号を検出する検出アセンブリと、
を備え、
　前記回転バルブは、前記回転バルブが前記第１バルブ位置から前記第２バルブ位置に回転するにつれて、前記フローチャンネル内に前記生物試料を保持することができる、システム（１００）。」
（相違点１）
　本願発明１では、反応チャンバは、「光路からの照射光を受ける少なくとも１つの光学的に透明な面及び反応窪みのアレイ」を有し、前記反応チャンバ内の「前記反応窪みのアレイ」から、１つ以上の反応によって生み出される光信号を検出するのに対し、引用発明では、「検出室部（１０３）」は、「電気化学蛍光測定に使用するように適合化され」、検出室部（１０３）で「分析評価電極において生じた蛍光を測定する」点。
（相違点２）
　本願発明１では、「前記ポンプアセンブリは、前記回転バルブが前記第２バルブ位置にあるとき、（フローチャンネル内に保持することができた）前記生物試料を前記リザーバ内に流入させるフローを誘導することができる」のに対し、引用発明では、「ポンプ」は、「マルチポートバルブ」が、「流体を複数の管（Ａ〜Ｅ）の中の１つの管」（Ｂ〜Ｅ）のいずれか「から共通の管（Ｆ）へと案内」するときは、「液体試薬」を「検出室部へ導入」する点。
（２）判断
　事案に鑑み相違点２について検討する。
ア　上記相違点２に係る本願発明１の「前記回転バルブが前記第２バルブ位置にあるとき、」「前記リザーバ内に流入させる」「前記生物試料」は、「前記フローチャンネルは、前記回転バルブが前記第１バルブ位置にあるとき前記反応チャンバ及び前記試料チャンネルを流体的に接続し、また前記回転バルブが前記第２バルブ位置にあるとき前記リザーバ及び前記反応チャンバを流体的に接続し」ていることを踏まえると、「前記回転バルブが前記第１バルブ位置から前記第２バルブ位置に回転するにつれて、前記フローチャンネル内に」「保持することができ」た「前記生物試料」であることが理解できる。
イ　一方、引用文献５には、サンプリングバルブ８０１を用いて一定量の液体試料をＨＰＬＣカラム８０３に注入する際、サンプリングバルブ８０１内を液体試料で満たし、サンプリングバルブ８０１を回転させ、サンプリングバルブ内にあった液体試料８０６を切り出して、ＨＰＬＣカラム８０３に搬送する技術が記載されている。
ウ　しかしながら、引用文献５を含め、引用文献２〜４、６〜８のいずれにも、上記相違点２に係る本願発明１の構成、すなわち、回転バルブが第２バルブ位置にあるとき、フローチャンネル内に保持することができた生物試料をリザーバ内に流入させることについて、記載も示唆もなく、また、このことが周知である証拠もない。
エ　また、引用発明は、「マルチポートバルブ」における「流体コネクタ（３０９）の内部容積」は、「１０μＬ未満」の「デッドスペース」であるため、引用発明において、「マルチポートバルブ」を、引用文献５のようなサンプリングバルブに設計変更することは困難である。
オ　以上のことから、上記相違点２に係る本願発明１の構成は、引用発明及び引用文献２〜８に記載された技術事項に基づいて当業者が容易に想到し得ることではない。
（３）小括
　したがって、上記相違点１について判断するまでもなく、本願発明１は、当業者であっても引用発明及び引用文献２〜８に記載された技術事項に基づいて容易に発明できたものであるとはいえない。
２　本願発明２ないし１５について
　本願発明２ないし１５は、本願発明１を引用する発明であり、本願発明１の上記相違点１及び２に係る発明特定事項を備えるものであるから、本願発明１と同じ理由により、当業者であっても、引用発明及び引用文献２〜８に記載された技術事項に基づいて容易に発明できたものであるとはいえない。
第６　原査定について
　上記「第５」で検討したように、本願発明１ないし１５は、引用発明及び引用文献２〜８に記載された技術事項に基づいて容易に発明できたものとはいえないから、原査定の拒絶の理由２（特許法第２９条第２項）において引用された引用文献１〜８に基づいて当業者が容易に発明できたものとはいえない。
　また、原査定の拒絶の理由１（特許法第３６条第６項第２号）において指摘された請求項８での誤記は、拒絶査定不服審判の請求と同時にされた補正によって、上記「第３」の本願発明８のとおり補正された結果、当該理由１は解消された。
　したがって、原査定を維持することはできない。
第７　むすび
　以上のとおり、原査定の理由によっては、本願を拒絶することはできない。
　また、他に本願を拒絶すべき理由を発見しない。
　よって、結論のとおり審決する。